(57)【要約】【課題】理想的なメイクアップを容易に行い得る鏡台を提供する。【解決手段】鏡１１と、表示面としてのスクリーン２３が鏡１１の一部の部位を構成するハーフミラー１１ｂに重なり合うように配設される表示部１３と、表示部１３を制御して再生装置１５によって再生された映像を表示させる制御部とを備えている。この場合、鏡１１におけるハーフミラー１１ｂに隣接する部位に自らの顔を映すことで、例えば、手本となる映像と鏡１１に映った顔とを容易に見比べることが可能となり、理想的なメイクアップを容易に行うことが可能となる。【選択図】図２
2006122388.tif 000002
【特許請求の範囲】
【請求項１】
鏡と、前記鏡の一部の部位に表示面が重なり合うように配設される表示部と、前記表示
部に映像を表示させる制御部とを備えている鏡台。
【請求項２】
前記鏡は、その一部がハーフミラーで構成され、
前記表示部は、前記ハーフミラーの背面側に表示面が配設され、前記制御部の制御に従
って映像を表示する請求項１記載の鏡台。
【請求項３】
前記表示部は、前記ハーフミラーの背面側に表示面として配設された透過型スクリーンと、前記スクリーンに前記映像を表示するプロジェクタとを備えて構成されている請求項２記載の鏡台。
【請求項４】
前記表示部は、前記鏡の表面側に配設されて前記制御部の制御に従って前記映像を表示
すると共に当該映像の非表示状態において光を透過させる液晶パネルを備えて構成されて
いる請求項１記載の鏡台。
【請求項５】
前記鏡は、当該鏡の一部の部位に開口部および切欠部のいずれかが形成された第１の鏡
と、移動機構によって移動させられる第２の鏡とを備えて構成され、
前記制御部は、前記移動機構を制御して、前記映像の非表示状態において前記第１の鏡
に形成された開口部および切欠部のいずれかを閉塞するように前記第２の鏡を移動させる
と共に、前記映像の表示状態においては前記第１の鏡に形成された開口部および切欠部の
いずれかを閉塞するように前記表示部を移動させる請求項１記載の鏡台。
【請求項６】
前記鏡は、当該鏡の一部の部位に開口部および切欠部のいずれかが形成された第１の鏡
と、回転機構によって回転させられる第２の鏡とを備えて構成され、
前記表示部は、前記第２の鏡の背面に背中合わせに固定されて当該第２の鏡と共に回転体を構成し、
前記制御部は、前記回転機構を制御して、前記映像の非表示状態において前記第２の鏡
の表面と前記第１の鏡の表面とが同じ向きの状態で前記第１の鏡に形成された開口部およ
び切欠部のいずれかを閉塞するように前記回転体を回転させると共に、前記映像の表示状
態においては前記表示部の前記表示面と前記第１の鏡の表面とが同じ向きの状態で前記第
１の鏡に形成された開口部および切欠部のいずれかを閉塞するように前記回転体を回転さ
せる請求項１記載の鏡台。
【請求項７】
前記映像は、記録媒体に記録され、
当該記録媒体を再生可能な再生装置を備えている請求項１から６のいずれかに記載の鏡
台。
【請求項８】
前記記録媒体に記録されて前記再生装置によって再生された音声を出力する音声出力部
を備えている請求項７記載の鏡台。
【発明の詳細な説明】
【技術分野】
【０００１】
本発明は、表示部を備えた鏡台に関するものである。
【背景技術】
【０００２】
一般的な鏡台や手鏡では困難な後頭部の頭髪のチェックを容易とするため、出願人は、
特開平６−３８２２０号公報において、頭部の映像を受像装置に表示する頭髪描写装置を
開示している。この頭髪描写装置では、ユーザーの後方に配設された撮像装置がユーザー
の後頭部を撮像し、受像装置が撮像装置によって撮像された後頭部の映像を表示する。し
たがって、後頭部の頭髪のチェックや整髪を容易に行うことが可能となっている。
【特許文献１】特開平６−３８２２０号公報（第２−３頁、第１−２図）
【発明の開示】
【発明が解決しようとする課題】
【０００３】
ところが、出願人が開示している頭髪描写装置には、以下の改善すべき点がある。すな
わち、この頭髪描写装置では、撮像装置によって撮像した映像だけを再生している。一方
、近年、美容室や化粧品店では、顧客に対して行ったメイクアップの様子をビデオカメラ
等で撮影し、その映像を記録したビデオテープなどの記録媒体をその顧客に提供するサー
ビスが行われている。この場合、このようなビデオテープに記録された映像を手本として
自宅でメイクアップを行う際には、ビデオテープに記録された映像と鏡に映った自らの顔
とを見比べながらメイクアップを行うのが好ましい。しかしながら、従来の頭髪描写装置
には、撮像した後頭部の映像を映し出す機能しか有していないため、このような使用方法
に対応することができないという改善すべき課題が存在する。
【０００４】
本発明は、かかる改善すべき課題に鑑みてなされたものであり、理想的なメイクアップ
を容易に行い得る鏡台を提供することを主目的とする。
【課題を解決するための手段】
【０００５】
上記目的を達成すべく本発明に係る鏡台は、鏡と、前記鏡の一部の部位に表示面が重な
り合うように配設される表示部と、前記表示部に映像を表示させる制御部とを備えている
。
【０００６】
この鏡台では、鏡の一部の部位に表示面が重なり合うように配設した表示部に映像が表
示される。このため、鏡における表示部に隣接する部位に自らの顔を映すことで、手本と
なる映像と鏡に映った顔とを容易に見比べることができる。したがって、ユーザーは、理
想的なメイクアップを容易に行うことができる。
【０００７】
また、本発明に係る鏡台は、上記の鏡台において、前記鏡は、その一部がハーフミラー
で構成され、前記表示部は、前記ハーフミラーの背面側に表示面が配設され、前記制御部
の制御に従って映像を表示する。
【０００８】
この鏡台では、鏡の一部を構成するハーフミラーの背面側に表示面が配設された表示部
に映像が表示される。この場合、映像が表示されていない状態では、ハーフミラーが表面
側から入射した光を全反射するため、表示部の非使用時には、鏡全体を１枚の鏡として機
能させることができる。したがって、ユーザーは、映像表示が不要のときには、鏡の全域
に亘って自らの姿を映すことができる。
【０００９】
また、本発明に係る鏡台は、上記の鏡台において、前記表示部は、前記ハーフミラーの
背面側に表示面として配設された透過型スクリーンと、前記スクリーンの背面側に前記映像を表示するプロジェクタとを備えて構成されている。
【００１０】
この鏡台では、ハーフミラーの背面側に配設したスクリーンにプロジェクタからの投射
光を背面側から投射して映像が表示される。このため、投射光を投射させる面積を変える
ことで、表示させる映像の大きさをスクリーンの大きさの範囲内で任意に変更することが
できる。
【００１１】
また、本発明に係る鏡台は、上記の鏡台において、前記表示部は、前記鏡の表面側に配
設されて前記制御部の制御に従って前記映像を表示すると共に当該映像の非表示状態にお
いて光を透過させる液晶パネルを備えて構成されている。
【００１２】
この鏡台では、鏡の表面側に配設された液晶パネルが映像を表示すると共に映像の非表
示状態において光を透過させる。したがって、ユーザーは、鏡における液晶パネルに隣接
する部位に自らの顔を映すことで、手本となる映像と鏡に映った顔とを容易に見比べるこ
とができるため、理想的なメイクアップを容易に行うことができる。また、映像の非表示
状態において液晶パネルが光を透過させるため、表示部の非使用時には、鏡全体を１枚の
鏡として機能させることができる。したがって、ユーザーは、映像表示が不要のときには
、鏡の全域に亘って自らの姿を映すことができる。
【００１３】
さらに、本発明に係る鏡台は、上記の鏡台において、前記鏡は、当該鏡の一部の部位に
開口部および切欠部のいずれかが形成された第１の鏡と、移動機構によって移動させられ
る第２の鏡とを備えて構成され、前記制御部は、前記移動機構を制御して、前記映像の非表示状態において前記第１の鏡に形成された開口部および切欠部のいずれかを閉塞するように前記第２の鏡を移動させると共に、前記映像の表示状態においては前記第１の鏡に形成された開口部および切欠部のいずれかを閉塞するように前記表示部を移動させる。
【００１４】
この鏡台では、移動機構によって移動させられて第１の鏡に形成された開口部および切
欠部のいずれかを閉塞した表示部に映像が表示される。このため、第１の鏡に自らの顔を
映すことで、手本となる映像と第１の鏡に映った顔とを容易に見比べることができる。し
たがって、ユーザーは、理想的なメイクアップを容易に行うことができる。また、映像の
非表示状態においては第２の鏡が移動機構によって移動させられて第１の鏡に形成された
開口部および切欠部のいずれかを閉塞する。したがって、ユーザーは、映像表示が不要の
ときには、第１の鏡および第２の鏡の両方、つまり鏡の全域に亘って自らの姿を映すこと
ができる。
【００１５】
また、本発明に係る鏡台は、上記の鏡台において、前記鏡は、当該鏡の一部の部位に開
口部および切欠部のいずれかが形成された第１の鏡と、回転機構によって回転させられる
第２の鏡とを備えて構成され、前記表示部は、前記第２の鏡の背面にその背
面が固定されて当該第２の鏡と共に回転体を構成し、前記制御部は、前記回転機構を制御
して、前記映像の非表示状態において前記第２の鏡の表面と前記第１の鏡の表面とが同じ
向きの状態で前記第１の鏡に形成された開口部および切欠部のいずれかを閉塞するように
前記回転体を回転させると共に、前記映像の表示状態においては前記表示部の前記表示面
と前記第１の鏡の表面とが同じ向きの状態で前記第１の鏡に形成された開口部および切欠
部のいずれかを閉塞するように前記回転体を回転させる。
【００１６】
この鏡台では、回転機構によって回転させられて第１の鏡に形成された開口部および切
欠部のいずれかを閉塞した表示部に映像が表示される。このため、第１の鏡に自らの顔を
映すことで、手本となる映像と第１の鏡に映った顔とを容易に見比べることができる。し
たがって、ユーザーは、理想的なメイクアップを容易に行うことができる。また、映像の
非表示状態においては第２の鏡が回転機構によって回転させられて第１の鏡に形成された
開口部および切欠部のいずれかを閉塞する。したがって、ユーザーは、映像表示が不要の
ときには、第１の鏡および第２の鏡の両方、つまり鏡の全域に亘って自らの姿を映すこと
ができる。
【００１７】
また、本発明に係る鏡台は、上記の鏡台において、前記映像は、記録媒体に記録され、
当該記録媒体を再生可能な再生装置を備えている。
【００１８】
この鏡台では、映像が記録媒体に記録され、その映像を再生可能な再生装置が備えられ
ている。このため、例えば、別体に構成された再生装置を用いる構成とは異なり、その再
生装置との接続作業を不要にできると共にその再生装置の置き場所を予め確実に確保する
ことができる。
【００１９】
また、本発明に係る鏡台は、上記の鏡台において、前記記録媒体に記録されて前記再生
装置によって再生された音声を出力する音声出力部を備えている。
【００２０】
この鏡台では、記録媒体に記録されて再生装置によって再生された音声を音声出力部が
出力する。このため、ユーザーは、例えば、ビデオテープに記録されているメイクアップ
に関する音声を聞きながらメイクアップを行うことができるため、理想的なメイクアップ
を一層容易に行うことができる。
【発明を実施するための最良の形態】
【００２１】
以下、添付図面を参照して、本発明に係る鏡台の最良の形態について説明する。最初に
、図１に示す鏡台１の構成について説明する。鏡台１は、本発明に係る鏡台の一例であっ
て、図３に示すように、鏡１１、コントローラ１２、表示部１３、音声出力部１４、再生
装置１５および制御部１６を備えている。鏡１１は、図１に示すように、本体部２の上部
に取り付けられている。また、鏡１１は、同図および図２に示すように、鏡１１ａとハー
フミラー１１ｂとを一体形成して構成されている。この場合、ハーフミラー１１ｂの背面
には、後述する表示部１３のスクリーン２３が配設されている。なお、ハーフミラー１１
ｂの形成位置は、図１に示す端部に限定されず、鏡１１ａ内における任意の位置に規定す
ることができる。コントローラ１２は、本体部２における鏡１１の下方に位置する正面パ
ネルに取り付けられて、表示部１３および再生装置１５の電源スイッチや、再生装置１５
用のコントロールスイッチ（再生スイッチおよび停止スイッチ等）などの各種スイッチが
配設されて構成されると共に操作されたスイッチに対応する操作信号Ｓｏを制御部１６に
出力する。
【００２２】
表示部１３は、図２に示すように、プロジェクタ２１、反射ミラー２２およびスクリー
ン２３を備えている。プロジェクタ２１は、同図に示すように、本体部２の内部に配設さ
れている。また、プロジェクタ２１は、例えば、光源と、光変調手段（一例として、ＤＭ
Ｄ（Digital Micro Mirror Device ）や液晶ライトバルブ）と、投射レンズとを備え、制
御部１６の制御に従い、再生装置１５から出力された映像信号Ｓｐに基づいて光変調した
画像を投射レンズにより拡大投射する。反射ミラー２２は、本体部２の内部におけるスク
リーン２３の背面側に配設されて、プロジェクタ２１からの投射光Ｌをスクリーン２３に
向けて反射する。スクリーン２３は、本発明における表示面に相当し、透過型のスクリー
ンで構成されて、鏡１１におけるハーフミラー１１ｂの背面に配設されている。つまり、
スクリーン２３は、鏡１１の一部の部位に重なり合うように配設されている。
【００２３】
音声出力部１４は、図３に示すように、アンプ３１およびスピーカ３２を備えている。
アンプ３１は、制御部１６の制御に従い、再生装置１５から出力された音声信号Ｓｓを増
幅する。スピーカ３２は、図１に示すように、正面パネルに取り付けられて、アンプ３１
によって増幅された音声信号Ｓｓに基づく音声を出力する。再生装置１５は、正面パネル
に取り付けられて、制御部１６の制御に従い、例えば、ＤＶＤやビデオテープ等の記録媒
体に記録されている映像および音声を再生して映像信号Ｓｐおよび音声信号Ｓｓを出力す
る。
【００２４】
制御部１６は、コントローラ１２の操作によって出力された操作信号Ｓｏに従って制御
信号Ｓｃを出力することにより、表示部１３、音声出力部１４および再生装置１５を制御
する。この場合、制御部１６は、コントローラ１２における再生装置１５用の再生スイッ
チが操作されたときには、再生装置１５を制御して、記録媒体に記録されている映像およ
び音声を再生させて映像信号Ｓｐおよび音声信号Ｓｓを出力させる。また、制御部１６は
、再生装置１５から出力された映像信号Ｓｐを表示部１３に転送することにより、映像信
号Ｓｐに基づく映像を表示させる。さらに、制御部１６は、再生装置１５から出力された
音声信号Ｓｓを音声出力部１４に転送することにより、音声信号Ｓｓに基づく音声を出力
させる。
【００２５】
次に、鏡台１の使用方法について、図面を参照して説明する。この鏡台１では、電源の
非投入時には、プロジェクタ２１から投射光Ｌが射出されていないため、ハーフミラー１
１ｂの背面側が表面側よりも暗い状態となっている。このため、ハーフミラー１１ｂは、
表面側から入射した光を全反射する。したがって、電源の非投入時には、鏡１１が１枚の
鏡として機能するため、ユーザーは、表示部を備えていない一般的な鏡台と同様にして鏡
台１を使用することができる。
【００２６】
一方、例えば、美容室で行ったメイクアップの様子を記録したビデオテープの映像を手
本として、自らメイクアップを行う際には、コントローラ１２の電源スイッチを操作する
。次に、図１に示す再生装置１５にビデオテープをセットした後に、コントローラ１２の
再生スイッチを操作する。この際に、コントローラ１２が、再生スイッチに対応する操作
信号Ｓｏを出力する。次いで、制御部１６は、操作信号Ｓｏに従い、再生を指示する制御
信号Ｓｃを再生装置１５に出力する。続いて、再生装置１５が、制御信号Ｓｃに従い、ビ
デオテープに記録されている映像および音声を再生して映像信号Ｓｐおよび音声信号Ｓｓ
を制御部１６に出力する。次に、制御部１６は、映像信号Ｓｐを表示部１３に転送すると
共に、映像の表示を指示する制御信号Ｓｃを表示部１３に出力する。また、制御部１６は
、音声信号Ｓｓを音声出力部１４に転送すると共に、音声の出力を指示する制御信号Ｓｃ
を音声出力部１４に出力する。
【００２７】
次いで、音声出力部１４のアンプ３１が音声信号Ｓｓを増幅し、スピーカ３２がアンプ
３１によって増幅された音声信号Ｓｓに基づく音声（ビデオテープに記録されている音声
）を出力する。一方、表示部１３では、電源スイッチが操作されたときに、プロジェクタ
２１に電源が供給されて、制御部１６から出力された制御信号Ｓｃに従い、光源からの光
を映像信号Ｓｐに基く投射光Ｌに光変調して投射する。この際に、投射光Ｌが反射ミラー
２２によって反射されてスクリーン２３に投射される。これにより、ビデオテープに記録
されている映像がスクリーン２３に表示される。この場合、投射光Ｌの投射によってハー
フミラー１１ｂの背面側が表面側よりも明るい状態となる。このため、スクリーン２３に
表示された映像がハーフミラー１１ｂを透過してハーフミラー１１ｂの表面側（鏡台１の
正面側）から視認される。したがって、ユーザーは、例えば、ハーフミラー１１ｂに隣接
する鏡１１ａに自らの顔を映すことで、スクリーン２３に表示された手本となる映像と鏡
１１ａに映った顔とを容易に見比べることができるため、理想的なメイクアップを容易に
行うことができる。また、ユーザーは、ビデオテープに記録されている音声を聞きながら
メイクアップを行うことできるため、理想的なメイクアップの方法を音声でも認識するこ
とができる。なお、プロジェクタ２１の投射レンズを調整して投射光Ｌを投射させる面積
を変更することで、表示させる映像の大きさをスクリーン２３の大きさの範囲内で任意に
変更することができる。
【００２８】
次に、メイクアップを終了して、映像の表示を停止する際には、コントローラ１２にお
ける再生装置１５用の停止スイッチを操作する。この際に、制御部１６は、コントローラ
１２からの操作信号Ｓｏに従い、再生の停止を指示する制御信号Ｓｃを再生装置１５に出
力する。これに応じて、再生装置１５が映像および音声の再生を停止する。次いで、コン
トローラ１２の電源スイッチを操作する。これにより、プロジェクタ２１に対する電源供
給が停止して、プロジェクタ２１からの投射光Ｌの投射が停止する。この場合、投射光Ｌ
の投射停止により、上記したように、ハーフミラー１１ｂが表面側から入射した光を全反
射するため、鏡１１は、１枚の鏡として機能する。
【００２９】
このように、この鏡台１によれば、鏡１１の一部を構成するハーフミラー１１ｂに重な
り合うように配設したスクリーン２３に再生装置１５によって再生された映像を表示させ
ることにより、ハーフミラー１１ｂに隣接する鏡１１ａに自らの顔を映すことで、手本と
なる映像と鏡１１ａに映った顔とを容易に見比べることができる。したがって、ユーザー
は、理想的なメイクアップを容易に行うことができる。
【００３０】
また、鏡１１の一部をハーフミラー１１ｂで構成し、ハーフミラー１１ｂの背面側に配
設したスクリーン２３と、スクリーン２３の背面側から投射光Ｌを投射して映像を表示す
るプロジェクタ２１とを備えて表示部１３を構成したことにより、投射光Ｌが投射されて
いない状態では、ハーフミラー１１ｂが表面側から入射した光を全反射するため、表示部
１３の非使用時には、鏡１１を１枚の鏡として機能させることができる。したがって、ユ
ーザーは、映像表示が不要のときには、鏡１１の全域に亘って自らの姿を映すことができ
る。また、投射光Ｌを投射させる面積を変えることで、表示させる映像の大きさをスクリ
ーン２３の大きさの範囲内で任意に変更することができる。
【００３１】
また、記録媒体に記録されている映像を再生可能な再生装置１５を備えたことにより、
例えば、別体に構成された再生装置を用いる構成とは異なり、その再生装置との接続作業
を不要にできると共にその再生装置の置き場所を予め確実に確保することができる。
【００３２】
また、再生装置１５によって再生された音声を出力する音声出力部１４を備えたことに
より、ユーザーは、例えば、ビデオテープに記録されているメイクアップに関する音声を
聞きながらメイクアップを行うことができるため、理想的なメイクアップを一層容易に行
うことができる。
【００３３】
なお、本発明は、上記の構成に限定されない。例えば、プロジェクタ２１を用いてスク
リーン２３に映像を表示する表示部１３を備えた鏡台１を例に挙げて説明したが、図４に
示す鏡台１Ａにも適用することもできる。なお、以下の説明において、鏡台１と同じ構成
要素については同一の符号を用いて重複した説明を省略する。この鏡台１Ａは、同図に示
すように、鏡台１の鏡１１に代えて、１枚の鏡のみによって構成された鏡１１１を備えて
いる。また、鏡台１Ａは、鏡台１の表示部１３に代えて、液晶パネル４１を備えている。
この場合、液晶パネル４１は、鏡１１１よりも小形に形成されて、鏡１１１の表面側（反
射面側）に配設されている。つまり、液晶パネル４１は、鏡１１１の一部の部位に重なり
合うように配設されている。また、液晶パネル４１は、制御部１６の制御に従って再生装
置１５からの映像信号Ｓｐに基づく映像を表示する。さらに、液晶パネル４１は、映像の
非表示時（電源の非投入時）には光を透過させる。
【００３４】
この鏡台１Ａでは、電源の非投入時に、鏡１１１（鏡台１Ａ）の表面側から入射した光
、および鏡１１１によって反射されたその光の反射光を液晶パネル４１が透過させる。し
たがって、電源の非投入時には、鏡１１１における液晶パネル４１が配設された一部の部
位においても、他の部位と同様にして光が反射するため、ユーザーは、表示部を備えてい
ない一般的な鏡台と同様にして鏡台１Ａを使用することができる。一方、上記したように
、ビデオテープを再生装置１５にセットして、コントローラ１２の再生スイッチを操作し
た際には、制御部１６が、再生を指示する制御信号Ｓｃを再生装置１５に出力し、再生装
置１５が、映像信号Ｓｐおよび音声信号Ｓｓを出力する。次に、制御部１６からの制御信
号Ｓｃに従い、液晶パネル４１が映像信号Ｓｐに基づく映像を表示し、音声出力部１４が
音声信号Ｓｓに基づく音声を出力する。この場合、上記の鏡台１と同様にして、鏡１１１
に自らの顔を映すことで、ユーザーは、手本となる映像と鏡１１１に映った顔とを容易に
見比べることができる。したがって、この鏡台１Ａにおいても、ユーザーは、理想的なメ
イクアップを容易に行うことができる。
【００３５】
また、図５に示す鏡台１Ｂに本発明を適用することもできる。この鏡台１Ｂは、同図に
示すように、鏡台１の鏡１１に代えて、鏡１２１を備えている。この場合、鏡１２１は、
本発明における一部の部位に相当する端部に切欠部１２２が形成された鏡１２１ａ（本発
明における第１の鏡に相当する。図６参照）と、切欠部１２２とほぼ同じ大きさに形成さ
れて鏡１２１ａの背面側に配設された鏡１２１ｂ（本発明における第２の鏡に相当する。
図７参照）とを備えている。また、鏡台１Ｂは、鏡１２１ｂの上部に連結された液晶パネ
ル５１と、鏡１２１ｂおよび液晶パネル５１を移動（この例では上下動）させる移動機構
６１（同図参照）とを備えている。この場合、液晶パネル５１は、図７に示すように、鏡
１２１ｂとほぼ同じ大きさに形成されると共に表示状態において鏡１２１ａの切欠部１２
２の部位に重なり合うように鏡１２１ａの背面側に配設される。また、鏡１２１ｂおよび
液晶パネル５１は、図５，８に示すように、鏡１２１ａの背面側において移動機構６１に
よって上下動させられることにより、いずれか一方が切欠部１２２を閉塞する。なお、切
欠部１２２に代えて鏡１２１ａの中央部に開口部を形成する構成を採用することもできる
。
【００３６】
この鏡台１Ｂでは、電源の非投入時（初期状態）において、図５に示すように、鏡１２
１ｂが鏡１２１ａの切欠部１２２を閉塞する。したがって、この鏡台１Ｂでは、電源の非
投入時には、切欠部１２２が形成された部位においても顔や姿を映すことが可能となって
いる。一方、上記したように、ビデオテープを再生装置１５にセットして、コントローラ
１２の再生スイッチを操作した際には、制御部１６が、移動機構６１を制御して、図８に
示すように、鏡１２１ｂおよび液晶パネル５１を下方に向けて移動（下動）させる。これ
により、鏡１２１ａの切欠部１２２が液晶パネル５１によって閉塞されて、液晶パネル５
１の画面が鏡１２１ａの表面側（鏡台１Ｂの正面側）から視認可能となる。次に、制御部
１６が再生を指示する制御信号Ｓｃを出力することにより、液晶パネル５１が映像信号Ｓ
ｐに基づく映像を表示し、音声出力部１４が音声信号Ｓｓに基づく音声を出力する。この
場合、上記の鏡台１，１Ａと同様にして、鏡１２１ａに自らの顔を映すことで、ユーザー
は、手本となる映像と鏡１２１ａに映った顔とを容易に見比べることができる。したがっ
て、この鏡台１Ｂにおいても、ユーザーは、理想的なメイクアップを容易に行うことがで
きる。次に、メイクアップを終了して、コントローラ１２における再生装置１５用の停止
スイッチを操作した際には、制御部１６が操作信号Ｓｏに従って再生の停止を指示する制
御信号Ｓｃを再生装置１５に出力することにより、液晶パネル５１による映像表示、およ
び音声出力部１４による音声出力が停止する。また、制御部１６は、移動機構６１を制御
して、液晶パネル５１および鏡１２１ｂを上方に向けて移動させる。これにより、鏡１２
１ａの切欠部１２２が鏡１２１ｂによって閉塞された初期状態となる。
【００３７】
また、図９に示す鏡台１Ｃに本発明を適用することもできる。この鏡台１Ｃは、同図に
示すように、鏡台１の鏡１１に代えて、鏡１３１を備えている。この場合、鏡１３１は、
本発明における一部の部位に相当する端部に切欠部１３２が形成された鏡１３１ａ（本発
明における第１の鏡に相当する。図１０参照）と、切欠部１３２とほぼ同じ大きさに形成
された鏡１３１ｂ（本発明における第２の鏡に相当する。図１１参照）とを備えている。
また、鏡台１Ｃは、鏡１３１ｂとほぼ同じ大きさに形成されて、鏡１３１ｂの背面にその
背面が固定された液晶パネル７１（図１１参照）を備えている。この場合、鏡１３１ｂお
よび液晶パネル７１は、図９，１２に示すように、回転機構８１によって回転（回動）さ
せられることにより、いずれか一方が切欠部１３２を閉塞する。なお、鏡１３１ｂおよび
液晶パネル７１によって本発明における回転体が構成される。
【００３８】
この鏡台１Ｃでは、電源の非投入時（初期状態）において、図９に示すように、鏡１３
１ｂの表面と鏡１３１ａの表面とが同じ向きの状態で鏡１３１ｂが切欠部１３２を閉塞す
る。したがって、この鏡台１Ｃでは、電源の非投入時には、切欠部１３２が形成された部
位においても顔や姿を映すことが可能となっている。一方、上記したように、ビデオテー
プを再生装置１５にセットして、コントローラ１２の再生スイッチを操作した際には、制
御部１６が、回転機構８１を制御して、液晶パネル７１の表示面と鏡１３１ａの表面とが
同じ向きの状態で液晶パネル７１によって切欠部１３２を閉塞するように、鏡１３１ｂお
よび液晶パネル７１を回転させる。これにより、図１２に示すように、鏡１３１ｂと液晶
パネル７１とが反転して、液晶パネル７１の画面が鏡台１Ｃの正面側から視認可能となる
。次に、制御部１６が再生を指示する制御信号Ｓｃを出力することにより、液晶パネル７
１が映像信号Ｓｐに基づく映像を表示し、音声出力部１４が音声信号Ｓｓに基づく音声を
出力する。この場合、上記の鏡台１，１Ａ，１Ｂと同様にして、鏡１３１ａに自らの顔を
映すことで、ユーザーは、手本となる映像と鏡１３１ａに映った顔とを容易に見比べるこ
とができる。したがって、この鏡台１Ｃにおいても、ユーザーは、理想的なメイクアップ
を容易に行うことができる。次に、メイクアップを終了して、コントローラ１２における
再生装置１５用の停止スイッチを操作した際には、制御部１６が操作信号Ｓｏに従って再
生の停止を指示する制御信号Ｓｃを再生装置１５に出力することにより、液晶パネル７１
による映像表示、および音声出力部１４による音声出力が停止する。また、制御部１６は
、回転機構８１を制御して、液晶パネル７１および鏡１３１ｂを回転させる。これにより
、鏡１３１ｂの表面と鏡１３１ａの表面とが同じ向きの状態で切欠部１３２が鏡１３１ｂ
によって閉塞された初期状態となる。
【００３９】
また、上記の鏡台１Ｂ（または鏡台１Ｃ）において、鏡１２１ｂ（または鏡１３１ｂ）
および移動機構６１（または回転機構８１）を備えることなく、鏡１２１ａ（または鏡１
３１ａ）の切欠部１２２（または切欠部１３２）に液晶パネル５１（または液晶パネル７
１）を嵌め込んで、切欠部１２２（または切欠部１３２）が形成された鏡１２１（または
鏡１３１）の一部の部位を映像表示専用のエリアとする構成を採用することもできる。ま
た、液晶パネル５１（または液晶パネル７１）に代えてプラズマディスプレイやＣＲＴ等
の各種の表示装置を用いることもできる。
【００４０】
また、図１３に示す鏡台１Ｄに本発明を適用することもできる。この鏡台１Ｄは、同図
に示すように、上記の鏡台１における表示部１３に代えて、液晶パネル９１を備えている
。この場合、液晶パネル９１は、鏡１１におけるハーフミラー１１ｂの背面に配設されて
いる。つまり、液晶パネル９１は、鏡１１の一部の部位に重なり合うように配設されてい
る。また、液晶パネル９１は、制御部１６の制御に従って再生装置１５からの映像信号Ｓ
ｐに基づく映像を表示する。この鏡台１Ｄでは、電源の非投入時には、液晶パネル９１に
映像が表示されていないため、ハーフミラー１１ｂが表面側から入射した光を全反射する
。したがって、液晶パネル９１の非使用時には、鏡台１と同様にして、鏡１１を１枚の鏡
として機能させることができる。一方、液晶パネル９１に映像を表示させたときには、映
像がハーフミラー１１ｂを透過して鏡台１Ｄの正面側から視認される。したがって、ユー
ザーは、例えば、ハーフミラー１１ｂに隣接する鏡１１ａに自らの顔を映すことで、鏡台
１と同様にして、理想的なメイクアップを容易に行うことができる。なお、液晶パネル９
１に代えて、プラズマディスプレイやＣＲＴ等の各種の表示装置を用いることもできる。
【００４１】
また、上記の鏡台１，１Ａ〜１Ｄは、再生装置１５によって再生された映像を表示させ
るように構成されているが、本発明はこれには限定されず、例えばテレビジョンチューナ
ーを備えてテレビ放送を受信しても良いし、ＣＳ放送等を受信して表示装置に表示するこ
ともできる。
【図面の簡単な説明】
【００４２】
【図１】鏡台１の斜視図である。
【図２】鏡台１の一部を切り欠いた状態の側面図である。
【図３】鏡台１の構成を示すブロック図である。
【図４】鏡台１Ａの一部を切り欠いた状態の側面図である。
【図５】映像の非表示時における鏡台１Ｂの一部を切り欠いた状態の側面図である。
【図６】鏡１２１ａの斜視図である。
【図７】液晶パネル５１、鏡１２１ｂおよび移動機構６１の斜視図である。
【図８】映像の表示時における鏡台１Ｂの一部を切り欠いた状態の側面図である。
【図９】映像の非表示時における鏡台１Ｃの一部を切り欠いた状態の側面図である。
【図１０】鏡１３１ａの斜視図である。
【図１１】液晶パネル７１、鏡１３１ｂおよび回転機構８１の斜視図である。
【図１２】映像の表示時における鏡台１Ｃの一部を切り欠いた状態の側面図である。
【図１３】鏡台１Ｄの一部を切り欠いた状態の側面図である。
【符号の説明】
【００４３】
１，１Ａ〜１Ｄ  鏡台、１１，１１ａ，１１１，１２１，１２１ａ，１２１ｂ，１３１
，１３１ａ，１３１ｂ  鏡、１１ｂ  ハーフミラー、１３  表示部、１４  音声出力部、
１５  再生装置、１６  制御部、２１  プロジェクタ、２３  スクリーン、４１，５１，
７１，９１  液晶パネル、６１  移動機構、８１  回転機構、１２２，１３２  切欠部、
Ｌ  投射光
【図１】
2006122388.tif 000003
【図２】
2006122388.tif 000004
【図３】
2006122388.tif 000005
【図４】
2006122388.tif 000006
【図５】
2006122388.tif 000007
【図６】
2006122388.tif 000008
【図７】
2006122388.tif 000009
【図８】
2006122388.tif 000010
【図９】
2006122388.tif 000011
【図１０】
2006122388.tif 000012
【図１１】
2006122388.tif 000013
【図１２】
2006122388.tif 000014
【図１３】
2006122388.tif 000015